(57)【要約】      （修正有）【課題】麺の出来上がりを知らせるインスタントラーメンカップを提供する。【解決手段】インスタントラーメンカップは、カップ本体２２を含み、前記カップ本体の右端面にはハンドル２１が固定的に設けられ、前記カップ本体の中には上に開口した頂部溝が設けられ、前記頂部溝の下端壁には作動溝が設けられ、前記頂部溝の中には前記作動溝を開ける蓋装置が設けられ、前記作動溝の下端には駆動チャンバが設けられ、本装置は、鈴の音によって面を食べる時間が経つと人々に思い出させることができ、人々が仕事や他のことに忙しくて、カップラーメンの最高の食べる時間を逃すことを防止する。【選択図】図１
2020175950.tif 000002
【特許請求の範囲】
【請求項１】
インスタントラーメンカップであって、カップ本体を含み、前記カップ本体の右端面にはハンドルが固定的に設けられ、前記カップ本体の中には上に開口した頂部溝が設けられ、前記頂部溝の下端壁には作動溝が設けられ、前記頂部溝の中には前記作動溝を開ける蓋装置が設けられ、前記作動溝の下端には駆動チャンバが設けられ、前記駆動チャンバの後端壁には駆動スライド溝が設けられ、前記駆動スライド溝の右端壁には前記駆動チャンバと相通した貫通溝が設けられ、前記駆動チャンバの右端壁はモータが固定的に設けられ、前記モータの左端にはモータ軸が連結され、前記モータ軸の中端には第二プーリが固定的に設けられ、前記モータ軸の上端面には上に開口した台形ブロックスライド溝が設けられ、前記台形ブロックスライド溝の中には台形ブロックがスライドできるように連結され、前記台形ブロックと前記台形ブロックスライド溝との間には台形ブロックばねが連結され、前記駆動チャンバの下端壁には底板が固定的に設けられ、前記底板の右端面は前記モータ軸と回転できるように連結され、前記底板の右端面には支持スライドロッドが上下に対称的に固定的に設けられ、前記支持スライドロッドの右端には大歯車が設けられ、前記大歯車の左端面には前記支持スライドロッドとスライドできるように連結されるリング溝が設けられ、前記大歯車の中には歯車チャンバが設けられ、前記歯車チャンバの内壁の中には前記台形ブロックと協働できる六個の小ブロックが設けられ、前記ぜんまい軸は回転すると前記支持スライドロッドによって前記小ブロックおよび前記大歯車を回転連動させることができ、逆方向に回転すればできなく、前記貫通溝の右端壁と駆動スライド溝の左端壁との間には連結親ねじが回転できるように連結され、前記連結親ねじの右端には第一プーリが固定的に設けられ、前記第一プーリと前記第二プーリとの間には鈴トが連結され、前記連結親ねじの左端にはねじスライド板がねじ山によって連結され、前記ねじスライド板の前端面には固定ブロックが固定的に設けられ、前記固定ブロックの中にはぜんまいチャンバが設けられ、前記ぜんまいチャンバの中にはぜんまい軸が回転できるように連結され、前記ぜんまい軸の右端には前記大歯車と噛み合える第二歯車が固定的に設けられ、前記ぜんまい軸の左端には第一傘歯車が固定的に設けられ、前記ぜんまい軸の中端にはぜんまいが固定的に設けられ、前記ぜんまいの他端は前記ぜんまいチャンバと固定的に連結され、前記駆動チャンバの中には計時できる計時装置が設けられ、前記駆動チャンバの上端壁には内チャンバが設けられ、前記内チャンバの後端壁には凹溝が設けられ、前記内チャンバの左端壁には開口溝が設けられ、前記開口溝と前記内チャンバとの間には前記計時装置によって制御される注意喚起装置が設けられることを特徴とするインスタントラーメンカップ。
【請求項２】
前記蓋装置は前記頂部溝の前後端壁に回転できるように取り付けられる蓋軸を含み、前記蓋軸には蓋が固定的に設けられ、前記蓋の上端面にはプルリングが設けられ、
使用する時、前記プルリングを上に引き上げ、これにより、前記蓋を回転連動させ、前記作動溝を開くことを特徴とする請求項１に記載のインスタントラーメンカップ。
【請求項３】
前記計時装置は前記駆動チャンバの前後端壁に回転できるように取り付けられる回転軸を含み、前記回転軸の前端には前記第一傘歯車と噛み合える第二傘歯車が固定的に設けられ、前記回転軸の後端には回し盤が固定的に設けられ、前記駆動チャンバの上端壁には頂部板が固定的に設けられ、前記頂部板の中には短スライドロッドと長ラックとがスライドできるように連結され、前記長ラックの右端には前記回し盤と協働する引掛りブロックが回転できるように連結され、前記引掛りブロックには前記駆動チャンバの後端壁と回転できるように連結されるヒンジ連結軸が固定的に設けられ、前記回し盤は時計回りに回転すると、前記引掛りブロックを連動させて左に揺動させて前記長ラックを連動させて短い距離だけ左にスライドさせることができ、前記短スライドロッドと前記長ラックの左端には止め板が固定的に設けられ、前記止め板の右端面と前記頂部板の左端面との間には復帰ばねが連結され、前記駆動チャンバの下端壁と前記内チャンバの上端壁との間には親ねじ軸が回転できるように連結され、前記親ねじ軸の下端には前記長ラックと噛み合うラチェット付き歯車が固定的に設けられ、前記長ラックは左に移動すると、前記ラチェット付き歯車によって前記親ねじ軸を回転連動させることができ、逆であればできないことを特徴とする請求項１に記載のインスタントラーメンカップ。
【請求項４】
前記注意喚起装置は前記内チャンバの前後端壁とスライドできるように連結されるねじブロックを含み、前記ねじブロックの右端は前記親ねじ軸と噛み合うことができ、前記ねじブロックの左端面には引き動かしロッドが固定的に設けられ、前記引き動かしロッドの中端には前記内チャンバの左端壁とスライドできるように連結されるラックブロックがスライドできるように連結され、前記ラックブロックと前記ねじブロックとの間には支持ばねが連結され、前記引き動かしロッドの左端にはボタンが固定的に設けられ、前記凹溝の左右端壁には短軸が回転できるように連結され、前記短軸の右端には鈴が上下に対称的に固定的に設けられ、前記短軸の左端には前記ラックブロックと噛み合える第四歯車が固定的に設けられ、前記ラックブロックが上に移動すると、前記第四歯車と前記短軸を回転連動させ、それにより、前記鈴は音を出して人々に麺を食べ始めるように思い出させることを特徴とする請求項１に記載のインスタントラーメンカップ。
【発明の詳細な説明】
【技術分野】
【０００１】
本発明は日用品分野を取り上げて、具体的にはインスタントラーメンカップである。
【背景技術】
【０００２】
生活のペースの加速につれて、  忙しい仕事のために、多くの人が食事する時間がなくなり、腹を満たすためにカップラーメンだけで済ませ、即席めんの最良の待つ時間は約３分程度であり、インスタントラーメンに水を注いだ後、仕事が忙しくてラーメンを食べるのを忘れてしまうことがよくあり、カップラーメンを食べる絶好のタイミングを逃しました。
【先行技術文献】
【特許文献】
【０００３】
【特許文献１】中国特許出願公開第108065580号明細書
【発明の概要】
【発明が解決しようとする課題】
【０００４】
本発明はインスタントラーメンカップを提供し、既存技術にある上記の欠点を解消することを目的とする。
【課題を解決するための手段】
【０００５】
本発明の実施例：インスタントラーメンカップは、カップ本体を含み、前記カップ本体の右端面にはハンドルが固定的に設けられ、前記カップ本体の中には上に開口した頂部溝が設けられ、前記頂部溝の下端壁には作動溝が設けられ、前記頂部溝の中には前記作動溝を開ける蓋装置が設けられ、前記作動溝の下端には駆動チャンバが設けられ、前記駆動チャンバの後端壁には駆動スライド溝が設けられ、前記駆動スライド溝の右端壁には前記駆動チャンバと相通した貫通溝が設けられ、前記駆動チャンバの右端壁はモータが固定的に設けられ、前記モータの左端にはモータ軸が連結され、前記モータ軸の中端には第二プーリが固定的に設けられ、前記モータ軸の上端面には上に開口した台形ブロックスライド溝が設けられ、前記台形ブロックスライド溝の中には台形ブロックがスライドできるように連結され、前記台形ブロックと前記台形ブロックスライド溝との間には台形ブロックばねが連結され、前記駆動チャンバの下端壁には底板が固定的に設けられ、前記底板の右端面は前記モータ軸と回転できるように連結され、前記底板の右端面には支持スライドロッドが上下に対称的に固定的に設けられ、前記支持スライドロッドの右端には大歯車が設けられ、前記大歯車の左端面には前記支持スライドロッドとスライドできるように連結されるリング溝が設けられ、前記大歯車の中には歯車チャンバが設けられ、前記歯車チャンバの内壁の中には前記台形ブロックと協働できる六個の小ブロックが設けられ、前記ぜんまい軸は回転すると前記支持スライドロッドによって前記小ブロックおよび前記大歯車を回転連動させることができ、逆方向に回転すればできなく、前記貫通溝の右端壁と駆動スライド溝の左端壁との間には連結親ねじが回転できるように連結され、前記連結親ねじの右端には第一プーリが固定的に設けられ、前記第一プーリと前記第二プーリとの間には鈴トが連結され、前記連結親ねじの左端にはねじスライド板がねじ山によって連結され、前記ねじスライド板の前端面には固定ブロックが固定的に設けられ、前記固定ブロックの中にはぜんまいチャンバが設けられ、前記ぜんまいチャンバの中にはぜんまい軸が回転できるように連結され、前記ぜんまい軸の右端には前記大歯車と噛み合える第二歯車が固定的に設けられ、前記ぜんまい軸の左端には第一傘歯車が固定的に設けられ、前記ぜんまい軸の中端にはぜんまいが固定的に設けられ、前記ぜんまいの他端は前記ぜんまいチャンバと固定的に連結され、前記駆動チャンバの中には計時できる計時装置が設けられ、前記駆動チャンバの上端壁には内チャンバが設けられ、前記内チャンバの後端壁には凹溝が設けられ、前記内チャンバの左端壁には開口溝が設けられ、前記開口溝と前記内チャンバとの間には前記計時装置によって制御される注意喚起装置が設けられる。
【０００６】
前記蓋装置は前記頂部溝の前後端壁に回転できるように取り付けられる蓋軸を含み、前記蓋軸には蓋が固定的に設けられ、前記蓋の上端面にはプルリングが設けられ、
使用する時、前記プルリングを上に引き上げ、これにより、前記蓋を回転連動させ、前記作動溝を開く。
【０００７】
前記計時装置は前記駆動チャンバの前後端壁に回転できるように取り付けられる回転軸を含み、前記回転軸の前端には前記第一傘歯車と噛み合える第二傘歯車が固定的に設けられ、前記回転軸の後端には回し盤が固定的に設けられ、前記駆動チャンバの上端壁には頂部板が固定的に設けられ、前記頂部板の中には短スライドロッドと長ラックとがスライドできるように連結され、前記長ラックの右端には前記回し盤と協働する引掛りブロックが回転できるように連結され、前記引掛りブロックには前記駆動チャンバの後端壁と回転できるように連結されるヒンジ連結軸が固定的に設けられ、前記回し盤は時計回りに回転すると、前記引掛りブロックを連動させて左に揺動させて前記長ラックを連動させて短い距離だけ左にスライドさせることができ、前記短スライドロッドと前記長ラックの左端には止め板が固定的に設けられ、前記止め板の右端面と前記頂部板の左端面との間には復帰ばねが連結され、前記駆動チャンバの下端壁と前記内チャンバの上端壁との間には親ねじ軸が回転できるように連結され、前記親ねじ軸の下端には前記長ラックと噛み合うラチェット付き歯車が固定的に設けられ、前記長ラックは左に移動すると、前記ラチェット付き歯車によって前記親ねじ軸を回転連動させることができ、逆であればできない。
【０００８】
前記注意喚起装置は前記内チャンバの前後端壁とスライドできるように連結されるねじブロックを含み、前記ねじブロックの右端は前記親ねじ軸と噛み合うことができ、前記ねじブロックの左端面には引き動かしロッドが固定的に設けられ、前記引き動かしロッドの中端には前記内チャンバの左端壁とスライドできるように連結されるラックブロックがスライドできるように連結され、前記ラックブロックと前記ねじブロックとの間には支持ばねが連結され、前記引き動かしロッドの左端にはボタンが固定的に設けられ、前記凹溝の左右端壁には短軸が回転できるように連結され、前記短軸の右端には鈴が上下に対称的に固定的に設けられ、前記短軸の左端には前記ラックブロックと噛み合える第四歯車が固定的に設けられ、前記ラックブロックが上に移動すると、前記第四歯車と前記短軸を回転連動させ、それにより、前記鈴は音を出して人々に麺を食べ始めるように思い出させる。
【発明の効果】
【０００９】
本発明の有益な効果は：本装置は、鈴の音によって面を食べる時間が経つと人々に思い出させることができ、人々が仕事や他のことに忙しくて、カップラーメンの最高の食べる時間を逃すことを防止する。
【図面の簡単な説明】
【００１０】
【図１】図１は本発明のインスタントラーメンカップの全体断面の正面構成概略図
【図２】図２は図１の中のＡの局部拡大図
【図３】図３は図１の中のＢ−Ｂ方向の断面図
【図４】図４は図２の中のＣ方向の断面図
【図５】図５は図２の中のＤ−Ｄ方向の断面図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
本発明書（全ての添付の権利要求、要約および附図を含む）に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１３】
下記に図１〜５を合わせて本発明を詳しく説明する。説明を便利にさせるように、ここで後文に出る方位を下記の通りに規定する：下記の上下左右前後という方向は図１自身の投影関係の上下左右前後の方向と一致している。
【００１４】
図１〜５を参照し、本発明の実施例：インスタントラーメンカップは、カップ本体２２を含み、前記カップ本体２２の右端面にはハンドル２１が固定的に設けられ、前記カップ本体２２の中には上に開口した頂部溝２３が設けられ、前記頂部溝２３の下端壁には作動溝２６が設けられ、前記頂部溝２３の中には前記作動溝２６を開ける蓋装置１０１が設けられ、前記作動溝２６の下端には駆動チャンバ３９が設けられ、前記駆動チャンバ３９の後端壁には駆動スライド溝６４が設けられ、前記駆動スライド溝６４の右端壁には前記駆動チャンバ３９と相通した貫通溝５６が設けられ、前記駆動チャンバ３９の右端壁はモータ５０が固定的に設けられ、前記モータ５０の左端にはモータ軸５７が連結され、前記モータ軸５７の中端には第二プーリ５８が固定的に設けられ、前記モータ軸５７の上端面には上に開口した台形ブロックスライド溝７１が設けられ、前記台形ブロックスライド溝７１の中には台形ブロック６９がスライドできるように連結され、前記台形ブロック６９と前記台形ブロックスライド溝７１との間には台形ブロックばね７０が連結され、前記駆動チャンバ３９の下端壁には底板５９が固定的に設けられ、前記底板５９の右端面は前記モータ軸５７と回転できるように連結され、前記底板５９の右端面には支持スライドロッド６７が上下に対称的に固定的に設けられ、前記支持スライドロッド６７の右端には大歯車６６が設けられ、前記大歯車６６の左端面には前記支持スライドロッド６７とスライドできるように連結されるリング溝６８が設けられ、前記大歯車６６の中には歯車チャンバ７３が設けられ、前記歯車チャンバ７３の内壁の中には前記台形ブロック６９と協働できる六個の小ブロック７２が設けられ、前記ぜんまい軸６２は回転すると前記支持スライドロッド６７によって前記小ブロック７２および前記大歯車６６を回転連動させることができ、逆方向に回転すればできなく、前記貫通溝５６の右端壁と駆動スライド溝６４の左端壁との間には連結親ねじ６５が回転できるように連結され、前記連結親ねじ６５の右端には第一プーリ５５が固定的に設けられ、前記第一プーリ５５と前記第二プーリ５８との間には鈴ト５４が連結され、前記連結親ねじ６５の左端にはねじスライド板５１がねじ山によって連結され、前記ねじスライド板５１の前端面には固定ブロック５２が固定的に設けられ、前記固定ブロック５２の中にはぜんまいチャンバ６１が設けられ、前記ぜんまいチャンバ６１の中にはぜんまい軸６２が回転できるように連結され、前記ぜんまい軸６２の右端には前記大歯車６６と噛み合える第二歯車７６が固定的に設けられ、前記ぜんまい軸６２の左端には第一傘歯車６３が固定的に設けられ、前記ぜんまい軸６２の中端にはぜんまい６０が固定的に設けられ、前記ぜんまい６０の他端は前記ぜんまいチャンバ６１と固定的に連結され、前記駆動チャンバ３９の中には計時できる計時装置１０２が設けられ、前記駆動チャンバ３９の上端壁には内チャンバ５３が設けられ、前記内チャンバ５３の後端壁には凹溝２９が設けられ、前記内チャンバ５３の左端壁には開口溝３２が設けられ、前記開口溝３２と前記内チャンバ５３との間には前記計時装置１０２によって制御される注意喚起装置１０３が設けられる。
【００１５】
前記蓋装置１０１は前記頂部溝２３の前後端壁に回転できるように取り付けられる蓋軸２４を含み、前記蓋軸２４には蓋２５が固定的に設けられ、前記蓋２５の上端面にはプルリング２８が設けられ、
使用する時、前記プルリング２８を上に引き上げ、これにより、前記蓋２５を回転連動させ、前記作動溝２６を開く。
【００１６】
前記計時装置１０２は前記駆動チャンバ３９の前後端壁に回転できるように取り付けられる回転軸４８を含み、前記回転軸４８の前端には前記第一傘歯車６３と噛み合える第二傘歯車４９が固定的に設けられ、前記回転軸４８の後端には回し盤４７が固定的に設けられ、前記駆動チャンバ３９の上端壁には頂部板７５が固定的に設けられ、前記頂部板７５の中には短スライドロッド４３と長ラック４４とがスライドできるように連結され、前記長ラック４４の右端には前記回し盤４７と協働する引掛りブロック４６が回転できるように連結され、前記引掛りブロック４６には前記駆動チャンバ３９の後端壁と回転できるように連結されるヒンジ連結軸４５が固定的に設けられ、前記回し盤４７は時計回りに回転すると、前記引掛りブロック４６を連動させて左に揺動させて前記長ラック４４を連動させて短い距離だけ左にスライドさせることができ、前記短スライドロッド４３と前記長ラック４４の左端には止め板４１が固定的に設けられ、前記止め板４１の右端面と前記頂部板７５の左端面との間には復帰ばね４２が連結され、前記駆動チャンバ３９の下端壁と前記内チャンバ５３の上端壁との間には親ねじ軸４０が回転できるように連結され、前記親ねじ軸４０の下端には前記長ラック４４と噛み合うラチェット付き歯車３８が固定的に設けられ、前記長ラック４４は左に移動すると、前記ラチェット付き歯車３８によって前記親ねじ軸４０を回転連動させることができ、逆であればできない。
【００１７】
前記注意喚起装置１０３は前記内チャンバ５３の前後端壁とスライドできるように連結されるねじブロック３７を含み、前記ねじブロック３７の右端は前記親ねじ軸４０と噛み合うことができ、前記ねじブロック３７の左端面には引き動かしロッド３６が固定的に設けられ、前記引き動かしロッド３６の中端には前記内チャンバ５３の左端壁とスライドできるように連結されるラックブロック３４がスライドできるように連結され、前記ラックブロック３４と前記ねじブロック３７との間には支持ばね３３が連結され、前記引き動かしロッド３６の左端にはボタン３５が固定的に設けられ、前記凹溝２９の左右端壁には短軸３０が回転できるように連結され、前記短軸３０の右端には鈴２７が上下に対称的に固定的に設けられ、前記短軸３０の左端には前記ラックブロック３４と噛み合える第四歯車３１が固定的に設けられ、前記ラックブロック３４が上に移動すると、前記第四歯車３１と前記短軸３０を回転連動させ、それにより、前記鈴２７は音を出して人々に麺を食べ始めるように思い出させる。
【００１８】
利用するとき、湯と即席めんを作動溝２６の中に入れ、モータ５０を回転させ、これにより、モータ軸５７と、第二プーリ５８と、第一プーリ５５と連結親ねじ６５とを回転連動させ、それにより、ねじスライド板５１と、固定ブロック５２と、ぜんまい軸６２と、第一傘歯車６３とを連動させて左に移動させ、第二歯車７６と大歯車６６との噛合が解除される時点で、第一傘歯車６３と第二傘歯車４９とが噛み合い、これにより、ぜんまい６０によってぜんまい軸６２と、第一傘歯車６３と、第二傘歯車４９と、回転軸４８と回し盤４７とを回転連動させ、これにより、引掛りブロック４６を回して長ラック４４を絶え間なく左に往復移動させ、これにより、ラチェット付き歯車３８によって親ねじ軸４０をゆっくり回転連動させ、引き動かしロッド３６およびラックブロック３４を連動させて上に移動させ、これにより、第四歯車３１と、短軸３０と鈴２７を回転連動させ、前記鈴２７に音を出させて人々に麺を食べ始めるように思い出させ、食べ終わったら、ボタン３５を左に引き動かし、それにより、ねじブロック３７が親ねじ軸４０から離脱し、それを最も下端に置き、その後、モータ５０を逆方向に回転させ、それにより、ねじスライド板５１を最も右端に移動させ、このとき、大歯車６６は回転しなくなり、それからモータ５０を回転させ、固定ブロック５２は第二歯車７６を連動させて左に大歯車６６から間もなく離脱する位置まで移動させ、この間、大歯車６６は第二歯車７６と、ぜんまい軸６２とぜんまい６０とを回転連動させる。
【００１９】
本発明の有益な効果は：本装置は、鈴の音によって面を食べる時間が経つと人々に思い出させることができ、人々が仕事や他のことに忙しくて、カップラーメンの最高の食べる時間を逃すことを防止する。
【００２０】
以上に述べたのはただ本発明の具体的な実施方式で、しかし本発明の保護範囲はここに限らないである。全部の創造的な労働を通じなく思いついた変化と取替は本発明の保護範囲に蓋される。だから本発明の保護範囲は権利要求書が限定される保護範囲を標準とする。
【図１】
2020175950.tif 000003
【図２】
2020175950.tif 000004
【図３】
2020175950.tif 000005
【図４】
2020175950.tif 000006
【図５】
2020175950.tif 000007
【手続補正書】
【提出日】令和1年12月5日(2019.12.5)
【手続補正１】
【補正対象書類名】特許請求の範囲
【補正対象項目名】全文
【補正方法】変更
【補正の内容】
【特許請求の範囲】
【請求項１】
インスタントラーメンカップであって、カップ本体を含み、前記カップ本体の右端面にはハンドルが固定的に設けられ、前記カップ本体の中には上に開口した頂部溝が設けられ、前記頂部溝の下端壁には作動溝が設けられ、前記頂部溝の中には前記作動溝を開ける蓋装置が設けられ、前記作動溝の下端には駆動チャンバが設けられ、前記駆動チャンバの後端壁には駆動スライド溝が設けられ、前記駆動スライド溝の右端壁には前記駆動チャンバと相通した貫通溝が設けられ、前記駆動チャンバの右端壁はモータが固定的に設けられ、前記モータの左端にはモータ軸が連結され、前記モータ軸の中端には第二プーリが固定的に設けられ、前記モータ軸の上端面には上に開口した台形ブロックスライド溝が設けられ、前記台形ブロックスライド溝の中には台形ブロックがスライドできるように連結され、前記台形ブロックと前記台形ブロックスライド溝との間には台形ブロックばねが連結され、前記駆動チャンバの下端壁には底板が固定的に設けられ、前記底板の右端面は前記モータ軸と回転できるように連結され、前記底板の右端面には支持スライドロッドが上下に対称的に固定的に設けられ、前記支持スライドロッドの右端には大歯車が設けられ、前記大歯車の左端面には前記支持スライドロッドとスライドできるように連結されるリング溝が設けられ、前記大歯車の中には歯車チャンバが設けられ、前記歯車チャンバの内壁の中には前記台形ブロックと協働できる六個の小ブロックが設けられ、前記ぜんまい軸は回転すると前記支持スライドロッドによって前記小ブロックおよび前記大歯車を回転連動させることができ、逆方向に回転すればできなく、前記貫通溝の右端壁と駆動スライド溝の左端壁との間には連結親ねじが回転できるように連結され、前記連結親ねじの右端には第一プーリが固定的に設けられ、前記第一プーリと前記第二プーリとの間にはベルトが連結され、前記連結親ねじの左端にはねじスライド板がねじ山によって連結され、前記ねじスライド板の前端面には固定ブロックが固定的に設けられ、前記固定ブロックの中にはぜんまいチャンバが設けられ、前記ぜんまいチャンバの中にはぜんまい軸が回転できるように連結され、前記ぜんまい軸の右端には前記大歯車と噛み合える第二歯車が固定的に設けられ、前記ぜんまい軸の左端には第一傘歯車が固定的に設けられ、前記ぜんまい軸の中端にはぜんまいが固定的に設けられ、前記ぜんまいの他端は前記ぜんまいチャンバと固定的に連結され、前記駆動チャンバの中には計時できる計時装置が設けられ、前記駆動チャンバの上端壁には内チャンバが設けられ、前記内チャンバの後端壁には凹溝が設けられ、前記内チャンバの左端壁には開口溝が設けられ、前記開口溝と前記内チャンバとの間には前記計時装置によって制御される注意喚起装置が設けられることを特徴とするインスタントラーメンカップ。
【請求項２】
前記蓋装置は前記頂部溝の前後端壁に回転できるように取り付けられる蓋軸を含み、前記蓋軸には蓋が固定的に設けられ、前記蓋の上端面にはプルリングが設けられ、使用する時、前記プルリングを上に引き上げ、これにより、前記蓋を回転連動させ、前記作動溝を開くことを特徴とする請求項１に記載のインスタントラーメンカップ。
【請求項３】
前記計時装置は前記駆動チャンバの前後端壁に回転できるように取り付けられる回転軸を含み、前記回転軸の前端には前記第一傘歯車と噛み合える第二傘歯車が固定的に設けられ、前記回転軸の後端には回し盤が固定的に設けられ、前記駆動チャンバの上端壁には頂部板が固定的に設けられ、前記頂部板の中には短スライドロッドと長ラックとがスライドできるように連結され、前記長ラックの右端には前記回し盤と協働する引掛りブロックが回転できるように連結され、前記引掛りブロックには前記駆動チャンバの後端壁と回転できるように連結されるヒンジ連結軸が固定的に設けられ、前記回し盤は時計回りに回転すると、前記引掛りブロックを連動させて左に揺動させて前記長ラックを連動させて短い距離だけ左にスライドさせることができ、前記短スライドロッドと前記長ラックの左端には止め板が固定的に設けられ、前記止め板の右端面と前記頂部板の左端面との間には復帰ばねが連結され、前記駆動チャンバの下端壁と前記内チャンバの上端壁との間には親ねじ軸が回転できるように連結され、前記親ねじ軸の下端には前記長ラックと噛み合うラチェット付き歯車が固定的に設けられ、前記長ラックは左に移動すると、前記ラチェット付き歯車によって前記親ねじ軸を回転連動させることができ、逆であればできないことを特徴とする請求項１に記載のインスタントラーメンカップ。
【請求項４】
前記注意喚起装置は前記内チャンバの前後端壁とスライドできるように連結されるねじブロックを含み、前記ねじブロックの右端は前記親ねじ軸と噛み合うことができ、前記ねじブロックの左端面には引き動かしロッドが固定的に設けられ、前記引き動かしロッドの中端には前記内チャンバの左端壁とスライドできるように連結されるラックブロックがスライドできるように連結され、前記ラックブロックと前記ねじブロックとの間には支持ばねが連結され、前記引き動かしロッドの左端にはボタンが固定的に設けられ、前記凹溝の左右端壁には短軸が回転できるように連結され、前記短軸の右端には鈴が上下に対称的に固定的に設けられ、前記短軸の左端には前記ラックブロックと噛み合える第四歯車が固定的に設けられ、前記ラックブロックが上に移動すると、前記第四歯車と前記短軸を回転連動させ、それにより、前記鈴は音を出して人々に麺を食べ始めるように思い出させることを特徴とする請求項１に記載のインスタントラーメンカップ。
【手続補正２】
【補正対象書類名】明細書
【補正対象項目名】全文
【補正方法】変更
【補正の内容】
【発明の詳細な説明】
【技術分野】
【０００１】
本発明は日用品分野を取り上げて、具体的にはインスタントラーメンカップである。
【背景技術】
【０００２】
生活のペースの加速につれて、忙しい仕事のために、多くの人が食事する時間がなくなり、腹を満たすためにカップラーメンだけで済ませ、即席めんの最良の待つ時間は約３分程度であり、インスタントラーメンに水を注いだ後、仕事が忙しくてラーメンを食べるのを忘れてしまうことがよくあり、カップラーメンを食べる絶好のタイミングを逃しました。
【先行技術文献】
【特許文献】
【０００３】
【特許文献１】中国特許出願公開第１０８０６５５８０号明細書
【発明の概要】
【発明が解決しようとする課題】
【０００４】
本発明はインスタントラーメンカップを提供し、既存技術にある上記の欠点を解消することを目的とする。
【課題を解決するための手段】
【０００５】
本発明の実施例：インスタントラーメンカップは、カップ本体を含み、前記カップ本体の右端面にはハンドルが固定的に設けられ、前記カップ本体の中には上に開口した頂部溝が設けられ、前記頂部溝の下端壁には作動溝が設けられ、前記頂部溝の中には前記作動溝を開ける蓋装置が設けられ、前記作動溝の下端には駆動チャンバが設けられ、前記駆動チャンバの後端壁には駆動スライド溝が設けられ、前記駆動スライド溝の右端壁には前記駆動チャンバと相通した貫通溝が設けられ、前記駆動チャンバの右端壁はモータが固定的に設けられ、前記モータの左端にはモータ軸が連結され、前記モータ軸の中端には第二プーリが固定的に設けられ、前記モータ軸の上端面には上に開口した台形ブロックスライド溝が設けられ、前記台形ブロックスライド溝の中には台形ブロックがスライドできるように連結され、前記台形ブロックと前記台形ブロックスライド溝との間には台形ブロックばねが連結され、前記駆動チャンバの下端壁には底板が固定的に設けられ、前記底板の右端面は前記モータ軸と回転できるように連結され、前記底板の右端面には支持スライドロッドが上下に対称的に固定的に設けられ、前記支持スライドロッドの右端には大歯車が設けられ、前記大歯車の左端面には前記支持スライドロッドとスライドできるように連結されるリング溝が設けられ、前記大歯車の中には歯車チャンバが設けられ、前記歯車チャンバの内壁の中には前記台形ブロックと協働できる六個の小ブロックが設けられ、前記ぜんまい軸は回転すると前記支持スライドロッドによって前記小ブロックおよび前記大歯車を回転連動させることができ、逆方向に回転すればできなく、前記貫通溝の右端壁と駆動スライド溝の左端壁との間には連結親ねじが回転できるように連結され、前記連結親ねじの右端には第一プーリが固定的に設けられ、前記第一プーリと前記第二プーリとの間にはベルトが連結され、前記連結親ねじの左端にはねじスライド板がねじ山によって連結され、前記ねじスライド板の前端面には固定ブロックが固定的に設けられ、前記固定ブロックの中にはぜんまいチャンバが設けられ、前記ぜんまいチャンバの中にはぜんまい軸が回転できるように連結され、前記ぜんまい軸の右端には前記大歯車と噛み合える第二歯車が固定的に設けられ、前記ぜんまい軸の左端には第一傘歯車が固定的に設けられ、前記ぜんまい軸の中端にはぜんまいが固定的に設けられ、前記ぜんまいの他端は前記ぜんまいチャンバと固定的に連結され、前記駆動チャンバの中には計時できる計時装置が設けられ、前記駆動チャンバの上端壁には内チャンバが設けられ、前記内チャンバの後端壁には凹溝が設けられ、前記内チャンバの左端壁には開口溝が設けられ、前記開口溝と前記内チャンバとの間には前記計時装置によって制御される注意喚起装置が設けられる。
【０００６】
前記蓋装置は前記頂部溝の前後端壁に回転できるように取り付けられる蓋軸を含み、前記蓋軸には蓋が固定的に設けられ、前記蓋の上端面にはプルリングが設けられ、使用する時、前記プルリングを上に引き上げ、これにより、前記蓋を回転連動させ、前記作動溝を開く。
【０００７】
前記計時装置は前記駆動チャンバの前後端壁に回転できるように取り付けられる回転軸を含み、前記回転軸の前端には前記第一傘歯車と噛み合える第二傘歯車が固定的に設けられ、前記回転軸の後端には回し盤が固定的に設けられ、前記駆動チャンバの上端壁には頂部板が固定的に設けられ、前記頂部板の中には短スライドロッドと長ラックとがスライドできるように連結され、前記長ラックの右端には前記回し盤と協働する引掛りブロックが回転できるように連結され、前記引掛りブロックには前記駆動チャンバの後端壁と回転できるように連結されるヒンジ連結軸が固定的に設けられ、前記回し盤は時計回りに回転すると、前記引掛りブロックを連動させて左に揺動させて前記長ラックを連動させて短い距離だけ左にスライドさせることができ、前記短スライドロッドと前記長ラックの左端には止め板が固定的に設けられ、前記止め板の右端面と前記頂部板の左端面との間には復帰ばねが連結され、前記駆動チャンバの下端壁と前記内チャンバの上端壁との間には親ねじ軸が回転できるように連結され、前記親ねじ軸の下端には前記長ラックと噛み合うラチェット付き歯車が固定的に設けられ、前記長ラックは左に移動すると、前記ラチェット付き歯車によって前記親ねじ軸を回転連動させることができ、逆であればできない。
【０００８】
前記注意喚起装置は前記内チャンバの前後端壁とスライドできるように連結されるねじブロックを含み、前記ねじブロックの右端は前記親ねじ軸と噛み合うことができ、前記ねじブロックの左端面には引き動かしロッドが固定的に設けられ、前記引き動かしロッドの中端には前記内チャンバの左端壁とスライドできるように連結されるラックブロックがスライドできるように連結され、前記ラックブロックと前記ねじブロックとの間には支持ばねが連結され、前記引き動かしロッドの左端にはボタンが固定的に設けられ、前記凹溝の左右端壁には短軸が回転できるように連結され、前記短軸の右端には鈴が上下に対称的に固定的に設けられ、前記短軸の左端には前記ラックブロックと噛み合える第四歯車が固定的に設けられ、前記ラックブロックが上に移動すると、前記第四歯車と前記短軸を回転連動させ、それにより、前記鈴は音を出して人々に麺を食べ始めるように思い出させる。
【発明の効果】
【０００９】
本発明の有益な効果は：本装置は、鈴の音によって面を食べる時間が経つと人々に思い出させることができ、人々が仕事や他のことに忙しくて、カップラーメンの最高の食べる時間を逃すことを防止する。
【図面の簡単な説明】
【００１０】
【図１】図１は本発明のインスタントラーメンカップの全体断面の正面構成概略図
【図２】図２は図１の中のＡの局部拡大図
【図３】図３は図１の中のＢ−Ｂ方向の断面図
【図４】図４は図２の中のＣ方向の断面図
【図５】図５は図２の中のＤ−Ｄ方向の断面図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
本発明書（全ての添付の権利要求、要約および附図を含む）に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１３】
下記に図１〜５を合わせて本発明を詳しく説明する。説明を便利にさせるように、ここで後文に出る方位を下記の通りに規定する：下記の上下左右前後という方向は図１自身の投影関係の上下左右前後の方向と一致している。
【００１４】
図１〜５を参照し、本発明の実施例：インスタントラーメンカップは、カップ本体２２を含み、前記カップ本体２２の右端面にはハンドル２１が固定的に設けられ、前記カップ本体２２の中には上に開口した頂部溝２３が設けられ、前記頂部溝２３の下端壁には作動溝２６が設けられ、前記頂部溝２３の中には前記作動溝２６を開ける蓋装置１０１が設けられ、前記作動溝２６の下端には駆動チャンバ３９が設けられ、前記駆動チャンバ３９の後端壁には駆動スライド溝６４が設けられ、前記駆動スライド溝６４の右端壁には前記駆動チャンバ３９と相通した貫通溝５６が設けられ、前記駆動チャンバ３９の右端壁はモータ５０が固定的に設けられ、前記モータ５０の左端にはモータ軸５７が連結され、前記モータ軸５７の中端には第二プーリ５８が固定的に設けられ、前記モータ軸５７の上端面には上に開口した台形ブロックスライド溝７１が設けられ、前記台形ブロックスライド溝７１の中には台形ブロック６９がスライドできるように連結され、前記台形ブロック６９と前記台形ブロックスライド溝７１との間には台形ブロックばね７０が連結され、前記駆動チャンバ３９の下端壁には底板５９が固定的に設けられ、前記底板５９の右端面は前記モータ軸５７と回転できるように連結され、前記底板５９の右端面には支持スライドロッド６７が上下に対称的に固定的に設けられ、前記支持スライドロッド６７の右端には大歯車６６が設けられ、前記大歯車６６の左端面には前記支持スライドロッド６７とスライドできるように連結されるリング溝６８が設けられ、前記大歯車６６の中には歯車チャンバ７３が設けられ、前記歯車チャンバ７３の内壁の中には前記台形ブロック６９と協働できる六個の小ブロック７２が設けられ、前記ぜんまい軸６２は回転すると前記支持スライドロッド６７によって前記小ブロック７２および前記大歯車６６を回転連動させることができ、逆方向に回転すればできなく、前記貫通溝５６の右端壁と駆動スライド溝６４の左端壁との間には連結親ねじ６５が回転できるように連結され、前記連結親ねじ６５の右端には第一プーリ５５が固定的に設けられ、前記第一プーリ５５と前記第二プーリ５８との間にはベルト５４が連結され、前記連結親ねじ６５の左端にはねじスライド板５１がねじ山によって連結され、前記ねじスライド板５１の前端面には固定ブロック５２が固定的に設けられ、前記固定ブロック５２の中にはぜんまいチャンバ６１が設けられ、前記ぜんまいチャンバ６１の中にはぜんまい軸６２が回転できるように連結され、前記ぜんまい軸６２の右端には前記大歯車６６と噛み合える第二歯車７６が固定的に設けられ、前記ぜんまい軸６２の左端には第一傘歯車６３が固定的に設けられ、前記ぜんまい軸６２の中端にはぜんまい６０が固定的に設けられ、前記ぜんまい６０の他端は前記ぜんまいチャンバ６１と固定的に連結され、前記駆動チャンバ３９の中には計時できる計時装置１０２が設けられ、前記駆動チャンバ３９の上端壁には内チャンバ５３が設けられ、前記内チャンバ５３の後端壁には凹溝２９が設けられ、前記内チャンバ５３の左端壁には開口溝３２が設けられ、前記開口溝３２と前記内チャンバ５３との間には前記計時装置１０２によって制御される注意喚起装置１０３が設けられる。
【００１５】
前記蓋装置１０１は前記頂部溝２３の前後端壁に回転できるように取り付けられる蓋軸２４を含み、前記蓋軸２４には蓋２５が固定的に設けられ、前記蓋２５の上端面にはプルリング２８が設けられ、使用する時、前記プルリング２８を上に引き上げ、これにより、前記蓋２５を回転連動させ、前記作動溝２６を開く。
【００１６】
前記計時装置１０２は前記駆動チャンバ３９の前後端壁に回転できるように取り付けられる回転軸４８を含み、前記回転軸４８の前端には前記第一傘歯車６３と噛み合える第二傘歯車４９が固定的に設けられ、前記回転軸４８の後端には回し盤４７が固定的に設けられ、前記駆動チャンバ３９の上端壁には頂部板７５が固定的に設けられ、前記頂部板７５の中には短スライドロッド４３と長ラック４４とがスライドできるように連結され、前記長ラック４４の右端には前記回し盤４７と協働する引掛りブロック４６が回転できるように連結され、前記引掛りブロック４６には前記駆動チャンバ３９の後端壁と回転できるように連結されるヒンジ連結軸４５が固定的に設けられ、前記回し盤４７は時計回りに回転すると、前記引掛りブロック４６を連動させて左に揺動させて前記長ラック４４を連動させて短い距離だけ左にスライドさせることができ、前記短スライドロッド４３と前記長ラック４４の左端には止め板４１が固定的に設けられ、前記止め板４１の右端面と前記頂部板７５の左端面との間には復帰ばね４２が連結され、前記駆動チャンバ３９の下端壁と前記内チャンバ５３の上端壁との間には親ねじ軸４０が回転できるように連結され、前記親ねじ軸４０の下端には前記長ラック４４と噛み合うラチェット付き歯車３８が固定的に設けられ、前記長ラック４４は左に移動すると、前記ラチェット付き歯車３８によって前記親ねじ軸４０を回転連動させることができ、逆であればできない。
【００１７】
前記注意喚起装置１０３は前記内チャンバ５３の前後端壁とスライドできるように連結されるねじブロック３７を含み、前記ねじブロック３７の右端は前記親ねじ軸４０と噛み合うことができ、前記ねじブロック３７の左端面には引き動かしロッド３６が固定的に設けられ、前記引き動かしロッド３６の中端には前記内チャンバ５３の左端壁とスライドできるように連結されるラックブロック３４がスライドできるように連結され、前記ラックブロック３４と前記ねじブロック３７との間には支持ばね３３が連結され、前記引き動かしロッド３６の左端にはボタン３５が固定的に設けられ、前記凹溝２９の左右端壁には短軸３０が回転できるように連結され、前記短軸３０の右端には鈴２７が上下に対称的に固定的に設けられ、前記短軸３０の左端には前記ラックブロック３４と噛み合える第四歯車３１が固定的に設けられ、前記ラックブロック３４が上に移動すると、前記第四歯車３１と前記短軸３０を回転連動させ、それにより、前記鈴２７は音を出して人々に麺を食べ始めるように思い出させる。
【００１８】
利用するとき、湯と即席めんを作動溝２６の中に入れ、モータ５０を回転させ、これにより、モータ軸５７と、第二プーリ５８と、第一プーリ５５と連結親ねじ６５とを回転連動させ、それにより、ねじスライド板５１と、固定ブロック５２と、ぜんまい軸６２と、第一傘歯車６３とを連動させて左に移動させ、第二歯車７６と大歯車６６との噛合が解除される時点で、第一傘歯車６３と第二傘歯車４９とが噛み合い、これにより、ぜんまい６０によってぜんまい軸６２と、第一傘歯車６３と、第二傘歯車４９と、回転軸４８と回し盤４７とを回転連動させ、これにより、引掛りブロック４６を回して長ラック４４を絶え間なく左に往復移動させ、これにより、ラチェット付き歯車３８によって親ねじ軸４０をゆっくり回転連動させ、引き動かしロッド３６およびラックブロック３４を連動させて上に移動させ、これにより、第四歯車３１と、短軸３０と鈴２７を回転連動させ、前記鈴２７に音を出させて人々に麺を食べ始めるように思い出させ、食べ終わったら、ボタン３５を左に引き動かし、それにより、ねじブロック３７が親ねじ軸４０から離脱し、それを最も下端に置き、その後、モータ５０を逆方向に回転させ、それにより、ねじスライド板５１を最も右端に移動させ、このとき、大歯車６６は回転しなくなり、それからモータ５０を回転させ、固定ブロック５２は第二歯車７６を連動させて左に大歯車６６から間もなく離脱する位置まで移動させ、この間、大歯車６６は第二歯車７６と、ぜんまい軸６２とぜんまい６０とを回転連動させる。
【００１９】
本発明の有益な効果は：本装置は、鈴の音によって面を食べる時間が経つと人々に思い出させることができ、人々が仕事や他のことに忙しくて、カップラーメンの最高の食べる時間を逃すことを防止する。
【００２０】
以上に述べたのはただ本発明の具体的な実施方式で、しかし本発明の保護範囲はここに限らないである。全部の創造的な労働を通じなく思いついた変化と取替は本発明の保護範囲に蓋される。だから本発明の保護範囲は権利要求書が限定される保護範囲を標準とする。